(57)【要約】【課題】  緊急地震速報を受けたら、特定の電話端末に対して呼び出しを開始して電話回線を確保し易くする。【解決手段】  制御機４には気象庁等のサーバ６から発信された地震情報を受信する地震情報受信装置５が接続され、居室親機３はアナログ電話回線網Ｎ１に接続する交換機接続部、ＩＰネットワークＮ２に接続するネットワーク接続部を有し、地震情報を地震情報受信装置５が受信したら、各居室親機３は一斉に地震情報を発報するのに加えて、アナログ電話回線網Ｎ１或いはＩＰネットワークＮ２を介して外部の電話端末７に対して予め登録した電話番号による呼び出しを開始する。【選択図】  図１
2011071896.tif 000002
【特許請求の範囲】
【請求項１】
来訪者が居住者を呼び出すために集合住宅のエントランス等に設置された集合玄関機と、前記集合玄関機からの呼び出しに応答するために集合住宅の各住戸内に設置された居室親機と、前記集合玄関機と前記居室親機の間の通信を制御する制御機と、前記制御機に接続されて外部の地震情報発信手段から発信された地震情報を受信する地震情報受信装置とを有して、地震情報を前記地震情報受信装置が受信したら前記居室親機が一斉に地震情報を発報する集合住宅インターホンシステムにおいて、
前記居室親機は、通信ネットワークを介して外部の電話端末との間で通話路を形成するための通信制御部を備え、
前記通信制御部は、前記居室親機が前記地震情報を受信したら、予め設定された電話番号に対して前記通信ネットワークを介して呼出制御を開始することを特徴とする集合住宅インターホンシステム。
【請求項２】
来訪者が居住者を呼び出すために玄関等に設置された玄関子機と、前記玄関子機からの呼び出しに応答するために住戸内に設置された居室親機と、外部の地震情報発信手段から発信された地震情報を受信したら前記居室親機に通知する地震情報受信装置とを有し、前記地震情報受信装置が地震情報を受信したら前記居室親機が地震情報を発報するインターホンシステムにおいて、
前記居室親機は、通信ネットワークを介して外部の電話端末との間で通話路を形成するための通信制御部を備え、
前記通信制御部は、前記居室親機が前記地震情報を受信したら、予め設定された電話番号に対して前記通信ネットワークを介して呼出制御を開始することを特徴とするインターホンシステム。
【発明の詳細な説明】
【技術分野】
【０００１】
本発明は、集合住宅インターホンシステム及び戸建住宅に設置されるインターホンシステムに関し、特に、気象庁等から緊急地震速報が発信されたら、居住者に対して地震情報を発報する機能を備えた集合住宅インターホンシステム及びインターホンシステムに関する。
【背景技術】
【０００２】
気象庁等のサーバから発信される緊急地震速報を受信する地震情報受信装置を設けて、地震が発生したら室内に設置したインターホン機器である居室親機から地震発生を知らせる警報を発するインターホンシステムがある。
このような地震発生を報知するシステムには、更に居住者に対して利便性を高めるために避難場所情報等を合わせて報知するものがある。例えば特許文献１では、居室親機が地震発生の報知を行うのに加えて、避難場所情報を居住者に通知し、更に登録されているメールアドレスに対して避難場所情報をメールするよう構成されている。
【先行技術文献】
【特許文献】
【０００３】
【特許文献１】特開２００９−１１１７５２号公報
【発明の概要】
【発明が解決しようとする課題】
【０００４】
上記特許文献１に開示された従来の集合住宅インターホンシステム及びインターホンシステムは、地震情報を受けて避難場所情報を通知し、更に外出中の家族へ避難場所情報をメールするため、家族が同じ避難場所へ集まることを可能とした。しかしながら、避難場所情報をメールすることは一方的な連絡であり、外出している家族の安否や被害状況を確認できるものではなかった。
実際に地震が発生した場合、自宅にいる家族は外出等で自宅に居ない家族の状況を知りたいし、外出中の家族は自宅の状況を確認したい。ところが、地震が発生してから、電話等で連絡を採ろうとしても、電話回線が飽和状態となり直ぐに連絡を取ることが難しくなる問題が発生した。
【０００５】
そこで、本発明はこのような問題点に鑑み、緊急地震速報等の地震発生情報を受けたら、特定の電話端末に対して呼び出しを開始して電話回線を確保し易くした集合住宅インターホンシステム及びインターホンシステムを提供することを目的としている。
【課題を解決するための手段】
【０００６】
上記課題を解決する為に、請求項１の発明は、来訪者が居住者を呼び出すために集合住宅のエントランス等に設置された集合玄関機と、集合玄関機からの呼び出しに応答するために集合住宅の各住戸内に設置された居室親機と、集合玄関機と居室親機の間の通信を制御する制御機と、制御機に接続されて外部の地震情報発信手段から発信された地震情報を受信する地震情報受信装置とを有して、地震情報を地震情報受信装置が受信したら居室親機が一斉に地震情報を発報する集合住宅インターホンシステムにおいて、居室親機は、通信ネットワークを介して外部の電話端末との間で通話路を形成するための通信制御部を備え、通信制御部は、居室親機が地震情報を受信したら、予め設定された電話番号に対して通信ネットワークを介して呼出制御を開始することを特徴とする。
この構成によれば、外部の地震情報発信手段から地震情報が発信されると居室親機がその地震情報を発報する。そして、居室親機は発報と合わせて登録された電話番号を呼び出して回線接続制御を行うため、緊急時に外出中の家族等が携行する携帯端末等の特定の電話端末に対して呼び出しを行うので電話回線を確保し易く、家族の状況等を速やかに把握することが可能となる。
【０００７】
請求項２の発明は、来訪者が居住者を呼び出すために玄関等に設置された玄関子機と、玄関子機からの呼び出しに応答するために住戸内に設置された居室親機と、外部の地震情報発信手段から発信された地震情報を受信したら居室親機に通知する地震情報受信装置とを有し、地震情報受信装置が地震情報を受信したら居室親機が地震情報を発報するインターホンシステムにおいて、居室親機は、通信ネットワークを介して外部の電話端末との間で通話路を形成するための通信制御部を備え、通信制御部は、居室親機が地震情報を受信したら、予め設定された電話番号に対して通信ネットワークを介して呼出制御を開始することを特徴とする。
この構成によれば、外部の地震情報発信手段から地震情報が発信されると居室親機がその地震情報を発報する。そして、居室親機は発報と合わせて登録された電話番号を呼び出して回線接続制御を行うため、緊急時に外出中の家族等が携行する携帯端末等の特定の電話端末に対して呼び出しを行うので電話回線を確保し易く、家族等の状況を速やかに把握することが可能となる。
【発明の効果】
【０００８】
本発明によれば、地震発生情報を受信した居室親機は、外出中の家族が携行する携帯電話等の特定の電話端末に対して呼び出しを開始するので、外出中の家族との間で電話回線を確保し易く、通話することで家族の状況等を速やかに把握することが可能となる。よって、連絡が取れずに不安な時間が経過するような事態を防止できる。
【図面の簡単な説明】
【０００９】
【図１】本発明に係る集合住宅インターホンシステムの一例を示す構成図である。
【図２】図１の居室親機の回路ブロック図である。
【図３】本発明に係るインターホンシステムの一例を示す構成図である。
【図４】図３の居室親機の回路ブロック図である。
【発明を実施するための形態】
【００１０】
以下、本発明を具体化した実施の形態を、図面に基づいて詳細に説明する。図１は、本発明に係る集合住宅インターホンシステムの一例を示す構成図であり、１は集合住宅のエントランス等に設置されて来訪者が居住者を呼び出すための集合玄関機、２は各住戸前に設置されて来訪者が居住者を呼び出すための玄関子機、３は集合玄関機１及び玄関子機２からの呼び出しに応答するための居室親機、４は集合玄関機１と居室親機３の間の通信を制御するための制御機、５は気象庁等に設置されたサーバ６から発信される地震情報を受信する地震情報受信装置、７は固定電話や携帯電話等の電話端末である。
【００１１】
集合玄関機１は伝送線Ｌ１により制御機４に接続され、玄関子機２は伝送線Ｌ２により居室親機３に接続され、居室親機３は親機幹線Ｌ３により制御機４に接続され、地震情報受信装置５は伝送線Ｌ４により制御機４に接続されている。また、電話端末７はアナログ対応であればアナログ回線から成る電話回線網Ｎ１により居室親機３と通話が可能に、ＩＰ対応であればＩＰネットワークＮ２により居室親機３と通話が可能になっている。
更に、地震情報受信装置５は、サーバ６にＩＰネットワーク（インターネット）Ｎ２を介して接続され、サーバ６から発信された地震情報を自動的に入手できるよう構成されている
【００１２】
居室親機３は図２に示すような回路を備えている。具体的に、居室親機３の各部を制御する親機ＣＰＵ３１、玄関子機２との通信をするための第１インターフェース（第１ＩＦ）３２、集合玄関機１や玄関子機２との通話を制御する通話制御部３３、音声を出力する音声出力部３３ａ、音声を入力する音声入力部３３ｂ、音声のＤ／Ａ，Ａ／Ｄ変換を行う音声ＣＯＤＥＣ３４、制御機４との通信をするための第２インターフェース（第２ＩＦ）３５、アナログ電話回線網Ｎ１と接続する交換機接続部３６、ＩＰネットワークＮ２と接続するネットワーク接続部３７、電話端末７を呼び出すための電話番号を記憶する電話番号記憶部３８、居住者が電話番号を登録するための入力部３９を備えている。
【００１３】
このように構成された集合住宅インターホンシステムは、以下のように動作する。但し、集合玄関機１を操作して居住者を呼び出し、居室親機３との間で通話を実施すること、玄関子機２を操作して居住者を呼び出して通話すること等の集合住宅インターホンシステムにおける基本動作は、従来と同様であるため説明を省略し、ここでは地震情報受信装置５が地震情報を受信した場合の動作を説明する。
【００１４】
地震発生を受けて、気象庁或いは関連する施設のサーバ６から地震情報（緊急地震速報）が発信されると、ＩＰネットワークＮ２を介して地震情報受信装置５にて受信される。地震情報受信装置５では、受信した地震情報を解析し、解析した地震情報を基に居住者が認識し易い情報、例えば音声放送信号を生成して伝送線Ｌ４を介して制御機４へ送信する。
【００１５】
地震情報受信装置５から地震情報を受信した制御機４は、地震情報を親機幹線Ｌ３を介して各居室親機３，３・・へ送信する。地震情報を受信した居室親機３は、親機ＣＰＵ３１が通話制御部３３を制御し、地震情報の音声放送信号を音声出力部３３ａより報音させる。この報音は、多くの場合地震情報受信装置を設置した地域で地震波到達の直前に実施されるため、居住者は地震発生を大きな揺れが発生する前に認識できる。
【００１６】
地震情報を報音制御した親機ＣＰＵ３１は、同時に或いは引き続き、予め登録された電話番号を電話番号記憶部３８より取得し、電話回線網Ｎ１とＩＰネットワークＮ２の少なくとも一方を使用して回線接続制御を開始する。アナログ電話回線網Ｎ１へは交換機接続部３６、ネットワーク接続部Ｎ２へはネットワーク接続部３７より、登録された電話番号の電話端末７へ呼出信号を発信する。発信先の電話端末７が応答操作されると通話路が形成され、居室親機３と発信先の電話端末７の間で通話が可能となる。
【００１７】
このように、サーバ６から地震情報が発信されると居室親機３がその地震情報を発報する。そして、居室親機３は発報と合わせて登録された電話番号を呼び出して回線接続制御を行うため、緊急時に外出中の家族等が携行する携帯電話等の特定の電話端末７に対して呼び出しを行うので電話回線を確保し易く、家族の状況を速やかに把握することが可能となる。よって、連絡が取れずに不安な時間が経過するような事態を防止できる。
【００１８】
尚、上記実施形態は、全ての居室親機３，３・・が交換機接続部３６、ネットワーク接続部３７を備えて地震発生時に電話番号の呼び出しを行う構成としているが、一部の居室親機３のみこの機能を備えたシステムであって良いのは勿論である。
【００１９】
図３は本発明に係るインターホンシステムの一例を示し、戸建住宅に使用するシステムの構成図を示している。１１は住戸玄関に設置され来訪者が居住者を呼び出すための玄関子機、１２は玄関子機１１からの呼び出しに応答するための居室親機である。そして、上記図１と同様に、ＩＰネットワークＮ２を介してサーバ６から地震情報を受信する地震情報受信装置５を備えている。尚、図１と同一の構成要素には同一の符号を付与してある。
【００２０】
玄関子機１１は伝送線Ｌ１１により居室親機１２に接続され、地震情報受信装置５は伝送線Ｌ１２により居室親機１２に接続されている。また、上記集合住宅インターホンシステムと同様に、居室親機１２はアナログ回線から成る電話回線網Ｎ１或いはＩＰネットワークＮ２を介して電話端末７と通信が可能となっている。
【００２１】
居室親機１２は図４に示すような回路を備えている。具体的に、居室親機１２の各部を制御する親機ＣＰＵ４１、玄関子機１１との通信をするための第３インターフェース（第３ＩＦ）４２、玄関子機１１との通話を制御する通話制御部４３、音声を出力する音声出力部４３ａ、音声を入力する音声入力部４３ｂ、音声のＤ／Ａ，Ａ／Ｄ変換を行う音声ＣＯＤＥＣ４４、地震情報受信装置５との通信をするための第４インターフェース（第４ＩＦ）４５、アナログ電話回線網Ｎ１と接続する交換機接続部４６、ＩＰネットワークＮ２と接続するネットワーク接続部４７、携帯電話等の電話端末を呼び出すための電話番号を記憶しておく電話番号記憶部４８、居住者が電話番号を登録するための入力部４９を備えている。
【００２２】
このように構成されたインターホンシステムは、以下のように動作する。但し、玄関子機１１を操作して居住者を呼び出し、居室親機１２との間で通話を実施するインターホンシステムの基本動作は、従来と同様であるため説明を省略し、ここでは地震情報受信装置５が地震情報を受信した場合の動作を説明する。
サーバ６から地震情報が発信されると、ＩＰネットワークＮ２を介して地震情報受信装置５にて受信される。地震情報受信装置５では、受信した地震情報を解析し、解析した地震情報を例えば音声放送信号により伝送線Ｌ１２を介して居室親機１２へ送信する。
【００２３】
地震情報を受信した居室親機１２は、親機ＣＰＵ４１が通話制御部４３を制御して地震情報の音声放送を音声出力部４３ａより報音させ、居住者へ地震発生を通知する。同時に或いは引き続いて親機ＣＰＵ４１は、予め登録された電話番号を電話番号記憶部４８より取得し、ＩＰネットワークＮ２へはネットワーク接続部４７、アナログ電話回線網Ｎ１へは交換機接続部４６より、登録された電話番号の電話端末７に対して通話路の接続制御を開始する。
発信先の電話端末７の呼出音を受けてその居住者或いは携行者が応答操作すると、電話回線が接続される。この結果、居室親機１２と発信先の電話端末７の間で通話が可能となる。
【００２４】
このように、サーバ６から地震情報が発信されると居室親機１２がその地震情報を発報する。そして、居室親機１２は発報と合わせて登録された電話番号を呼び出して回線接続制御を行うため、緊急時に外出中の家族等が携行する携帯電話等の特定の電話端末７に対して呼び出しを行うので電話回線を確保し易く、家族の状況を速やかに把握することが可能となる。よって、連絡が取れずに不安な時間が経過するような事態を防止できる。
【００２５】
尚、上記実施形態では、電話番号記憶部３８，４８に登録する番号が１つの場合を説明したが、複数の番号を登録して、一定時間呼出制御しても回線が繋がらない場合は、登録した他の電話番号に切り換えて呼出制御を継続させても良い。
【符号の説明】
【００２６】
１・・集合玄関機、３・・居室親機、４・・制御機、５・・地震情報受信装置、６・・サーバ（地震情報発信手段）、７・・電話端末、１２・・居室親機、３１・・親機ＣＰＵ（通信制御部）、３６・・交換機接続部、３７・・ネットワーク接続部、３８・・電話番号記憶部、４７・・ネットワーク接続部、４８・・電話番号記憶部、Ｎ１・・アナログ電話回線網（通信ネットワーク）、Ｎ２・・ＩＰネットワーク（通信ネットワーク）。
【図１】
2011071896.tif 000003
【図２】
2011071896.tif 000004
【図３】
2011071896.tif 000005
【図４】
2011071896.tif 000006